(57)【要約】本発明は、アンテナ間の相関度及び／またはシンボルの認識効率を考慮して、伝送されるシンボルを送信アンテナに適切に割り当てることによって、独立的なシンボル伝送及びアンテナ間の独立性を向上させて受信端におけるシンボル検出の正確性を高めることができ、システムの信号伝送能力を向上させることができる。このために本発明は、相関度の高いアンテナ対には最長のシンボル間距離を有するシンボル対を配置し、相関度の低いアンテナ対には最短のシンボル間距離を有するシンボル対を配置する。また、本発明は、認識効率の高いシンボルは相関度の高いアンテナに割り当て、認識効率の低いシンボルは相関度の低いアンテナに割り当てる。
2006508555.tif 000002
【特許請求の範囲】
【請求項１】
多重アンテナを利用する移動通信システムであって、
送信アンテナ間の相関度によりシンボルを配置して伝送することを特徴とする移動通信システムにおける信号伝送方法。
【請求項２】
前記相関度の高いアンテナ対には、最長のシンボル間距離を有するシンボル対を配置することを特徴とする請求項１に記載の移動通信システムにおける信号伝送方法。
【請求項３】
前記相関度の低いアンテナ対には、最短のシンボル間距離を有するシンボル対を配置することを特徴とする請求項１に記載の移動通信システムにおける信号伝送方法。
【請求項４】
同一のシンボル間距離を有するシンボルは、相関度の高いアンテナ対及び相関度の低いアンテナ対に均等に配置することを特徴とする請求項１に記載の移動通信システムにおける信号伝送方法。
【請求項５】
前記相関度の高いアンテナ対には、最短のシンボル間距離を有するシンボル対を配置し、相関度の低いアンテナ対には、最長のシンボル間距離を有するシンボル対を配置することを特徴とする請求項１に記載の移動通信システムにおける信号伝送方法。
【請求項６】
前記アンテナ間の相関度及びシンボルの認識効率によりシンボルを配置して送信アテナに割り当てることを特徴とする請求項１に記載の移動通信システムにおける信号伝送方法。
【請求項７】
前記認識効率の高いシンボルは、相関度の高いアンテナに割り当てることを特徴とする請求項６に記載の移動通信システムにおける信号伝送方法。
【請求項８】
前記認識効率の低いシンボルは、相関度の低いアンテナに割り当てることを特徴とする請求項６に記載の移動通信システムにおける信号伝送方法。
【請求項９】
各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てることを特徴とする請求項６に記載の移動通信システムにおける信号伝送方法。
【請求項１０】
前記同一のシンボルを再伝送する場合、送信アンテナ間の相関性により予め伝送されたシンボルを再配置して送信アンテナに再割り当てすることを特徴とする請求項１に記載の移動通信システムにおける信号伝送方法。
【請求項１１】
前記相関度の高いアンテナ対には、最短のシンボル間距離を有するシンボル対を割り当て、相関度の低いアンテナ対には、最長のシンボル間距離を有するシンボル対を割り当てることを特徴とする請求項１０に記載の移動通信システムにおける信号伝送方法。
【請求項１２】
前記同一のシンボルが再伝送される場合、送信アンテナ間の相関性及びシンボルの認識効率により予め伝送されたシンボルを再配置し、送信アンテナに割り当てることを特徴とする請求項１に記載の移動通信システムにおける信号伝送方法。
【請求項１３】
前記認識効率の高いシンボルは相関度の高い送信アンテナに割り当て、認識効率の低いシンボルは相関度の低い送信アンテナに割り当てることを特徴とする請求項１２に記載の移動通信システムにおける信号伝送方法。
【請求項１４】
多重アンテナを利用する移動通信システであって、
シンボル間距離の大きいシンボル対は相関度の高い第１のアンテナ対に割り当て、シンボル間距離の小さいシンボル対は相関度の低い第２のアンテナ対に割り当てることを特徴とする移動通信システムにおける信号伝送方法。
【請求項１５】
同一のシンボル間距離を有するシンボル対は、第１の及び第２のアンテナ対に均等に割り当てることを特徴とする請求項１４に記載の移動通信システムにおける信号伝送方法。
【請求項１６】
同一のシンボルを再伝送する場合、第１のアンテナ対にはシンボル間距離の小さいシンボル対を割り当て、第２のアンテナ対にはシンボル間距離の大きいシンボル対を割り当てることを特徴とする請求項１４に記載の移動通信システムにおける信号伝送方法。
【請求項１７】
多重アンテナを利用する移動通信システムであって、
シンボル間距離の小さいシンボル対は相関度の高い第１のアンテナ対に割り当て、シンボル間距離の大きいシンボル対は相関度の低い第２のアンテナ対に割り当てることを特徴とする移動通信システムにおける信号伝送方法。
【請求項１８】
多重アンテナを利用する移動通信システムにおいて、
送信アンテナ間の相関度及びシンボルの認識効率によりシンボルを再配置して送信送信アンテナに割り当てることを特徴とする移動通信システムにおける信号伝送方法。
【請求項１９】
前記認識効率の高いシンボルは、相関度の高いアンテナに割り当てることを特徴とする請求項１８に記載の移動通信システムにおける信号伝送方法。
【請求項２０】
前記認識効率の低いシンボルは、相関度の低いアンテナに割り当てることを特徴とする請求項１８に記載の移動通信システムにおける信号伝送方法。
【請求項２１】
各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てることを特徴とする請求項１８に記載の移動通信システムにおける信号伝送方法。
【請求項２２】
同一のシンボルが再伝送される場合、送信アンテナ間の相関性及びシンボルの認識効率によりシンボルを再配置して送信アンテナに割り当てることを特徴とする請求項１８に記載の移動通信システムにおける信号伝送方法。
【請求項２３】
前記認識効率の高いシンボルは相関度の高い送信アンテナに割り当て、認識効率の低いシンボルは相関度の低い送信アンテナに割り当てることを特徴とする請求項２２に記載の移動通信システムにおける信号伝送方法。
【請求項２４】
多重アンテナを利用する移動通信システムであって、
送信アンテナ間の相関度によりシンボルを配置する段階と、
配置されたシンボルを各送信アンテナに割り当てて伝送する段階と、
から構成されることを特徴とする移動通信システムにおける信号伝送方法。
【請求項２５】
前記相関度の高いアンテナ対には最長のシンボル間距離を有するシンボル対を割り当て、相関度の低いアンテナ対には最短のシンボル間距離を有するシンボル対を配置することを特徴とする請求項２４に記載の移動通信システムにおける信号伝送方法。
【請求項２６】
同一のシンボル間距離を有するシンボルは、相関度の高いアンテナ対及び相関度の低いアンテナ対に均等に配置することを特徴とする請求項２４に記載の移動通信システムにおける信号伝送方法。
【請求項２７】
前記相関度の高いアンテナ対には最短のシンボル間距離を有するシンボル対を配置し、相関度の低いアンテナ対には最長のシンボル間距離を有するシンボル対を配置することを特徴とする請求項２４に記載の移動通信システムにおける信号伝送方法。
【請求項２８】
前記シンボルの認識効率及び送信アンテナ間の相関度によりシンボルを配置することを特徴とする請求項２４に記載の移動通信システムにおける信号伝送方法。
【請求項２９】
前記認識効率の高いシンボルは相関度の高いアンテナに割り当て、認識効率の低いシンボルは相関度の低いアンテナに割り当てることを特徴とする請求項２８に記載の移動通信システムにおける信号伝送方法。
【請求項３０】
各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てることを特徴とする請求項２８に記載の移動通信システムにおける信号伝送方法。
【請求項３１】
再伝送要求を感知する段階と、
再伝送要求が感知されると、予め伝送されたシンボルを送信アンテナ間の相関性により再配置して送信アンテナに割り当てる段階と、をさらに含むことを特徴とする請求項２４に記載の移動通信システムにおける信号伝送方法。
【請求項３２】
前記相関度の高いアンテナ対には最短のシンボル間距離を有するシンボル対を割り当て、相関度の低いアンテナ対には最長のシンボル間距離を有するシンボル対を割り当てることを特徴とする請求項３１に記載の移動通信システムにおける信号伝送方法。
【請求項３３】
前記再伝送要求を感知する段階と、
再伝送要求が感知されると、予め伝送されたシンボルを送信アンテナ間の相関性及びシンボルの認識効率により再配置して送信アンテナに割り当てる段階と、をさらに含むことを特徴とする請求項２４に記載の移動通信システムにおける信号伝送方法。
【請求項３４】
前記認識効率の高いシンボルは相関度の高い送信アンテナに割り当て、認識効率の低いシンボルは相関度の低い送信アンテナに割り当てることを特徴とする請求項３３に記載の移動通信システムにおける信号伝送方法。
【請求項３５】
多重アンテナを利用する移動通信ステムであって、
送信アンテナ間の相関度によりシンボルを配置する送信信号処理器(Transmitting signal processor)と、
前記配置されたシンボルを複数の送信アンテナに割り当てる逆多重化器と、
から構成される移動通信システムにおける信号伝送装置。
【請求項３６】
伝送された信号を所定の処理方法により処理して送信シンボルを検出する送信シンボル検出器と、
検出されたシンボルを多重化する多重化器と、をさらに含むことを特徴とする請求項３５に記載の移動通信システムにおける信号伝送装置。
【請求項３７】
前記送信信号処理器は、
相関度の高いアンテナ対には最長のシンボル間距離を有するシンボル対を配置し、相関度の低いアンテナ対には最短のシンボル間距離を有するシンボル対を配置することを特徴とする請求項３５に記載の移動通信システムにおける信号伝送装置。
【請求項３８】
前記送信信号処理器は、
同一のシンボル間距離を有するシンボルは相関度の高いアンテナ対及び相関度の低いアンテナ対に均等に配置することを特徴とする請求項３５に記載の移動通信システムにおける信号伝送装置。
【請求項３９】
前記送信信号処理器は、
相関度の高いアンテナ対には最短のシンボル間距離を有するシンボル対を配置し、相関度の低いアンテナ対には最長のシンボル間距離を有するシンボル対を配置することを特徴とする請求項３５に記載の移動通信システムにおける信号伝送装置。
【請求項４０】
前記送信信号処理器は、
アンテナ間の相関度及びシンボルの認識効率によりシンボルを配置することを特徴とする請求項３５に記載の移動通信システムにおける信号伝送装置。
【請求項４１】
前記送信信号処理器は、
認識効率の高いシンボルは相関度の高いアンテナに配置し、認識効率の低いシンボルは相関度の低いアンテナに配置することを特徴とする請求項４０に記載の移動通信システムにおける信号伝送装置。
【請求項４２】
前記送信信号処理器は、
各送信アンテナに割り当てられるシンボルの数が異なる場合、認識効率の高いシンボルは相関度の高いアンテナ対に最大限に配置し、認識効率の低いシンボルは相関度の低いアンテナ対に最大限に配置することを特徴とする請求項４０に記載の移動通信システムにおける信号伝送装置。
【請求項４３】
前記送信信号処理器は、
同一のシンボルを再伝送する場合、送信アンテナ間の相関性及び／またはシンボルの認識効率によりシンボルを再配置することを特徴とする請求項３５に記載の移動通信システムにおける信号伝送装置。
【請求項４４】
前記送信信号処理器は、
相関度の高いアンテナ対には最短のシンボル間距離を有するシンボル対を再配置し、相関度の低いアンテナ対には最長のシンボル間距離を有するシンボル対を再配置することを特徴とする請求項４３に記載の移動通信システムにおける信号伝送装置。
【請求項４５】
前記送信信号処理器は、
認識効率の高いシンボルは相関度の高い送信アンテナに再配置し、認識効率の低いシンボルは相関度の低い送信アンテナに再配置することを特徴とする請求項４３に記載の移動通信システムにおける信号伝送装置。
【請求項４６】
前記所定の処理方法は、
ゼロ−フォーシング(Zero-Forcing)、ＭＭＳＥ(MinimumMean Square Error)及びＶ−ＢＬＡＳＴ(Vertical-Bell Labs Layered Space Time Architecture)方法のうち一つであることを特徴とする請求項３６に記載の移動通信システムにおける信号伝送装置。
【発明の詳細な説明】
【技術分野】
【０００１】
本発明は、移動通信システムに関し、特に、多重アンテナを利用した移動通信システムにおける信号伝送方法及び装置に関する。
【背景技術】
【０００２】
最近、無線移動通信市場の急成長により無線環境での多様なマルチメディアサービスが要求され、特に、伝送データの大容量化及びデータ伝送の高速化が進行されている。従って、限定された周波数の効率的な使用を可能にする方法を探すことが最も至急な課題である。この課題を解決するために、多重アンテナを利用した新しい伝送技術が必要になった。
【０００３】
図１は、多重アンテナを利用した多重入出力(multiple input multiple output：   ＭＩＭＯ)を採択した一般の移動通信システムの構成の一例を示す。
【０００４】
図１に示すように、ＭＩＭＯ移動通信システムは、複数の送信アンテナ１２と、順次に発生された送信データ(シンボル)を各送信アンテナ１２に送信するベクトルインコーダー(vector encoder)１０と、複数の受信アンテナ１４と、受信アンテナ１４を通じて受信されたデータをＶ−ＢＬＡＳＴ(Vertical-BellLabs Layered Space Time Architecture)方式で処理して送信データを推定及び復号するＶ−ＢＬＡＳＴ信号処理器１６とを含む。
【０００５】
前記ベクトルインコーダー１０は、順次に発生された送信データを直並列(serial-to-parallel)方式で変換して各送信アンテナ１２に送信する。
【０００６】
前記Ｖ−ＢＬＡＳＴ方式は、多重アンテナを利用するＭＩＭＯ移動通信システムの伝送技術の一種であり、Ｍ個の送信アンテナ１２及びＮ個の受信アンテナ１４が使用される。図１には、４個の送信アンテナ１２が使用されているが、これに限定されず、２個以上任意に設定することができる。
【０００７】
以下、このように構成された一般のＭＩＭＯ移動通信システムの信号処理動作を説明する。
【０００８】
ベクトルインコーダー１０は、送信データに対して送信品質の向上のための別途の信号処理を遂行せずに、単純に送信データ(ａ１−ａ４)を並列的に処理して各送信アンテナ１２に送信し、送信アンテナ１２は、それぞれ異なる送信データを空中に送信する。
【０００９】
また、各受信アンテナ１４を通じて受信されたデータはＶ−ＢＬＡＳＴ信号処理器１６に入力され、Ｖ−ＢＬＡＳＴ信号処理器１６は、適切な信号処理、つまり、Ｖ−ＢＬＡＳＴ方式の信号処理を遂行して送信データ(ａ１−ａ４)を検出する。
【００１０】
以下、Ｖ−ＢＬＡＳＴ信号処理器１６の動作をより詳細に説明する。
【００１１】
送信アンテナアレイの送信アンテナ１２が相違なる送信データ(送信シンボル)を送信すると、Ｖ−ＢＬＡＳＴ信号処理器１６は、受信アンテナアレイの各受信アンテナ１６から受信信号を受信して受信データベクトル(受信ベクトル)を構成する。次に、Ｖ−ＢＬＡＳＴ信号処理器１６は、前記受信ベクトルを利用して送信シンボルを検出する。
【００１２】
この場合、Ｖ−ＢＬＡＳＴ信号処理器１６は、特定送信アンテナが送信した送信シンボルを検出する間、他の送信アンテナ１２が送信した送信シンボルを干渉信号とみなす。
【００１３】
従って、Ｖ−ＢＬＡＳＴ信号処理器１６は、各受信アンテナ１４のウェイトベクトル(weight vector)を各送信アンテナ１２から送信された各シンボルに対して計算すると同時に、先に検出されたシンボル成分を前記受信ベクトルから差し引くことで、各シンボルの影響を最小化すると共に各シンボルを推定する。
【００１４】
図２は、Ｖ−ＢＬＡＳＴ信号処理器１６による送信シンボルの推定方法を示すフローチャートである。
【００１５】
まず、Ｖ−ＢＬＡＳＴ信号処理器１６は、各受信アンテナ１４を通じて受信された信号を受信ベクトルとして構成する(Ｓ１１)。
【００１６】
一例として、Ｍ個の送信アンテナ１２及びＮ個の受信アンテナ１４を有するＭＩＭＯ移動通信システムの場合、Ｍ個の送信アンテナ１２を通じて送信された信号ベクトル(送信ベクトル)をａと言い、前記送信ベクトルが伝送される移動通信チャネル行列(チャネル行列)をＨと言うとき、前記受信ベクトル(ｒ)は、式１のように示すことができる。
【００１７】
ｒ ＝ Ｈ × ａ + ｖ ------------ 式(１)
このとき、前記チャネル行列(Ｈ)は、Ｍ個の送信アンテナ１２から伝送された送信信号がそれぞれ異なる経路を経てＮ個の受信アンテナ１４に受信されるので、Ｎ×Ｍ行列で表すことができる。さらに、前記チャネル行列(Ｈ)は、Ｖ−ＢＬＡＳＴ信号処理器１６によって推定を通じて得られる。そして、前記ｖは、ガウス雑音であり、各受信アンテナ１４に誘起されるので、Ｎ×１ベクトルになる。
【００１８】
結局、Ｍ個の送信アンテナ１２を通じて伝送された信号(ａ1，ａ2，．．，ａm、つまり、Ｍ×１送信ベクトル)は、それぞれ異なる通信チャネル(ｈi,j)を経るようになり、Ｖ−ＢＬＡＳＴ信号処理器１６は、Ｎ個の受信アンテナ１４を通じて前記信号を受信する。
【００１９】
従って、Ｖ−ＢＬＡＳＴ信号処理器１６は、各送信アンテナ１２を通じて受信されたそれぞれの信号に対してウェイトベクトル(Weight vector)を計算した後、その計算された各ウェイトベクトル及び前記受信ベクトルを利用して各送信アンテナ１２から伝送されたシンボルを推定する。
【００２０】
まず、前記ウェイトベクトルを計算するための方法を説明する。
【００２１】
Ｍ個の送信アンテナ１２から送信されたシンボルを受信端が検出するためには、Ｎ個の受信アンテナにウェイトベクトルを乗算し、ここで、前記ウェイトベクトルをｗと定義する。Ｍ個の送信アンテナ１２を通じてはそれぞれ異なるシンボルが送信されるので、Ｖ−ＢＬＡＳＴ信号処理器１６において前記送信シンボルを検出するためにはＭ個のウェイトベクトルが必要になる。このとき、前記ウェイトベクトル(ｗ)は、以下のような性質を満足すべきである。
【００２２】
【数１】
2006508555.tif 000003
この場合、前記Ｈjは、チャネル行列(Ｈ)のｊ番目の列ベクトルを示し、前記チャネル行列(Ｈ)は、Ｖ−ＢＬＡＳＴ信号処理器１６によって推定されることができる。
【００２３】
式２で、ｉ番目の送信アンテナから送信されたシンボルを検出するために該当受信ベクトルに乗算されるべきウェイトベクトル(ｗi)は、チャネル行列(Ｈ)のｉ番目の列ベクトルとの乗算のみに対して“１”を有し、チャネル行列(Ｈ)の残りの列ベクトルとの乗算に対しては“０”を有するという性質を有する。つまり、式２は、ｉ番目の送信シンボルを検出するためのウェイトベクトル(ｗi)場合、他の送信アンテナにより送信されたシンボルの影響は除去されるべきであることを示す。
【００２４】
また、送信シンボルは順次に検出され、現在のシンボルを検出するために使用するウェイトベクトルを求めるとき、以前に検出されたシンボルの影響は排除されるべきであるので、式２においてｊ≧ｉという表現が使用された。
【００２５】
従って、式２のような性質を満足するウェイトベクトルは、以下のように求められる。まず、式１の受信ベクトルは、次の式３のように表現されることができる。
【００２６】
ｒ ＝ ａ1Ｈ１ ＋ ａ2Ｈ2 ＋ ．．．＋ ａMＨM---------------- 式(３)
通常、それぞれの送信アンテナ１２から送信されたシンボルは、それぞれ異なるチャネルをを経て受信端に受信されるが、式３は、前記受信されるシンボルを有する受信ベクトルを線形的な和の形で表現したことである。
【００２７】
従って、式３から分かるように、１番目の送信シンボルを検出するときは、２番目からＭ番目までのシンボルの影響を除去した後、ウェイトベクトルを受信ベクトルに乗算することが望ましく、他の送信シンボルを検出する場合も、同様な原理が適用されることができる。
【００２８】
このように特定送信シンボルを検出するとき、前記要求条件、つまり、該当ウェイトベクトルが他の送信シンボルからの影響を受けないために、Ｖ−ＢＬＡＳＴ信号処理器１６は、検出する送信シンボルごとにウェイトベクトルを更新して使用する。
【００２９】
一応、受信ベクトル(ｒ)が構成され、チャネル行列(Ｈ)が推定されると、Ｖ−ＢＬＡＳＴ信号処理器１６は、検出する送信シンボル別にウェイトベクトルを得るためにウェイトベクトルの更新を開始する。
【００３０】
このために、Ｖ−ＢＬＡＳＴ信号処理器１６は、式４に示したように、前記推定されたチャネル行列(Ｈ)に対するMoore-Penrose pseudoinverse行列(matrix)(Ｈ+あるいはＧ1)を求める(Ｓ１３)。
【００３１】
Ｇ1 ＝ Ｈ+ ------------- 式(４)
一応、Moore-Penrosepseudoinverse行列が求められると、Ｖ−ＢＬＡＳＴ信号処理器１６は、Ｇ1行列の行ベクトルの内からベクトルノーム(Vectornorm)の値が最小である行ベクトルをウェイトベクトルとして選択する(Ｓ１５)。一例として、選択された行ベクトルがＫ番目の行ベクトルであると仮定する場合、前記Ｇ1行列のＫ番目の行がＫ番目の送信シンボルを検出するためのウェイトベクトル(ｗK)として選択される。
【００３２】
一応、ウェイトベクトル(ｗK)が選択されると、Ｖ−ＢＬＡＳＴ信号処理器１６は、受信ベクトル(ｒ)とウェイトベクトル(ｗK)とを乗算してＫ番目の送信アンテナから送信されたシンボルを推定する(Ｓ１７)。
【００３３】
一般的に、ＭＩＭＯ移動通信システムの送信端で使用される変調方法(例えば、ＱＰＳＫ、ＱＡＭ)を受信端、つまり、Ｖ−ＢＬＡＳＴ信号処理器１６が知っている。従って、Ｖ−ＢＬＡＳＴ信号処理器１６は、推定されたシンボルが伝送時にどの配置(constellation)に属するシンボルであるかが分かるので、前記推定されたシンボルをＫ番目の送信アンテナから送信された送信シンボル(ａk)として決定する(Ｓ１９)。
【００３４】
Ｖ−ＢＬＡＳＴ信号処理器１６は、Ｍ個の送信アンテナ１２から送信されたＭ個の送信シンボルが全て検出されたか否かを確認し(Ｓ２１)、全て検出されなかった場合は、次の送信シンボルを検出するために、ウェイトベクトルを更新する手順を遂行する。
【００３５】
まず、Ｋ番目のシンボル(ａk)が検出されると、Ｖ−ＢＬＡＳＴ信号処理器１６は、式５に示すように、式３の受信ベクトル(ｒ)からＫ番目のシンボルの影響(ａKＨK)を除去することで、２番目の更新のために使用される受信ベクトル(ｒ2)を求める(Ｓ２３)。
【００３６】
ｒ2 ＝ ｒ − ａKＨK -------------------------- 式(５)
受信ベクトル(ｒ1)が求められると、Ｖ−ＢＬＡＳＴ信号処理器１６は、Ｇ2、つまり、２番目のウェイトベクトルを求めるために使用されるチャネル行列(Ｈ2)を推定する(Ｓ２５)。つまり、Ｖ−ＢＬＡＳＴ信号処理器１６は、以前のチャネル行列(Ｈ)から前記検出された送信シンボル(ａk)に該当する列ベクトル(Ｋ番目の列)を削除して新しいチャネル行列(Ｈ2)を推定する。
【００３７】
次に、段階(Ｓ１３)に進行し、Ｖ−ＢＬＡＳＴ信号処理器１６は、式６に示したように、前記推定されたチャネル行列(Ｈ2)のMoore-Penrosepseudoinverse行列を計算する。
【００３８】
【数２】
2006508555.tif 000004
Ｖ−ＢＬＡＳＴ信号処理器１６は、Ｇ2行列の行ベクトルの内から最小のベクトルノームを有する行ベクトルをウェイトベクトルとして選択する(Ｓ１５)。一例として、選択された行ベクトルがＶ番目の行ベクトルである仮定する場合、Ｇ2行列のＶ番目の行がＶ番目の送信シンボルを検出するためのウェイトベクトル(ｗV)として使用される。
【００３９】
ウェイトベクトル(ｗV)が選択されると、Ｖ−ＢＬＡＳＴ信号処理器１６は、前記受信ベクトル(ｒ2)とウェイトベクトル(ｗV)とを乗算してＶ番目の送信アンテナから送信されたシンボルを推定する(Ｓ１７)。
【００４０】
前述したように、Ｖ−ＢＬＡＳＴ信号処理器１６は、ＭＩＭＯ移動通信システムの送信端で使用されるデジタル変調方法を既に知っているので、前記推定されたシンボルがどの配置(constellation)に属するのかを判断することができ、これに基づいてＶ番目の送信アンテナから送信されたシンボル(ａV)を検出する(Ｓ１９)。
【００４１】
以後、Ｖ−ＢＬＡＳＴ信号処理器１６は、Ｍ個の送信アンテナ１２から送信されたＭ個の送信シンボルが全て検出されたか否かを確認し(Ｓ２１)、全て検出されなかった場合は、段階(Ｓ２３，Ｓ２５)以後の動作を繰り返して遂行し、全て検出された場合は、全ての段階を終了する。
【００４２】
詳述したように、一般的なＭＩＭＯ移動通信システムにおいて送信シンボルは、別途の信号処理なしでただ直並列(serial-to-parallel)変換された後、送信アンテナを通じて伝送され、受信端は、各送信アンテナから送信された送信データを順次に検出する。このために、各送信アンテナから独立的に送信されたシンボルは、移動通信チャネルを経る間に独立性がそのまま維持されるべきである。
【００４３】
しかしながら、実際に、送信アンテナアレイの各送信アンテナ間にある程度の相関(correlation)が存在し、受信アンテナアレイの受信アンテナ間にもある程度の相関が存在するため、各送信アンテナから送信された信号の独立性を保障することができない状況が発生する。また、移動通信チャネルも各送信アンテナと各受信アンテナとの間の独立的なチャネルを保障すべきであるが、実際に各送信アンテナの数だけの独立的なチャネルを保障することができないこともある。
【００４４】
従って、ＭＩＭＯ移動通信システムの受信端は、特定送信アンテナから送信された信号を独立的に検出することが難しくなり、この場合、送信されたシンボルが受信端で続いてエラーを発生させるか、信号検出の性能が低下するので、全体システム性能を低下させるという問題点がある。
【発明の開示】
【発明が解決しようとする課題】
【００４５】
本発明の目的は、ＭＩＭＯシステムにおいて受信端のシンボル検出能力を向上させることのできる移動通信システムにおける信号伝送方法及び装置を提供することにある。
【００４６】
本発明の他の目的は、送信アンテナ間の相関度を考慮してシンボルを送信アンテナに割り当てて伝送する移動通信システムにおける信号伝送方法及び装置を提供することにある。
【００４７】
本発明の他の目的は、送信アンテナ間の相関度及び／またはシンボルの認識効率を考慮してシンボルを送信アンテナに割り当てて伝送する移動通信システムにおける信号伝送方法及び装置を提供することにある。
【００４８】
本発明の他の目的は、再伝送のときも送信アンテナ間の相関度及び／またはシンボルの認識効率をを考慮してシンボルを各送信アンテナに再割り当てする移動通信システムにおける信号伝送方法及び装置を提供することにある。
【課題を解決するための手段】
【００４９】
このような目的を達成するために多重アンテナを利用する移動通信システムにおいて、本発明に係る移動通信システムにおける信号伝送方法は、送信アンテナ間の相関度及び／またはシンボルの認識効率によりシンボルを配置して伝送することを特徴とする。
【００５０】
望ましくは、前記相関度の高いアンテナ対には最長のシンボル間距離を有するシンボル対を配置し、相関度の低いアンテナ対には最短のシンボル間距離を有するシンボル対を配置することを特徴とする。また、同一のシンボル間距離を有するシンボルは相関度の高いアンテナ対及び相関度の低いアンテナ対に均等に配置される。
【００５１】
望ましくは、前記相関度の高いアンテナ対には最短のシンボル間距離を有するシンボル対を配置し、相関度の低いアンテナ対には最長のシンボル間距離を有するシンボル対を配置することを特徴とする。
【００５２】
望ましくは、前記認識効率の高いシンボルは相関度の高いアンテナに割り当て、認識効率の低いシンボルは相関度の低いアンテナに割り当てることを特徴とする。この場合、各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てる。
【００５３】
本発明に係る移動通信システムにおける信号伝送方法は、受信端から再伝送要求が入力されると、予め伝送されたシンボルを送信アンテナ間の相関度及び／またはシンボルの認識効率により配置して各送信アンテナに割り当てることを特徴とする。
【００５４】
望ましくは、前記相関度の高いアンテナ対には最短のシンボル間距離を有するシンボル対を割り当て、相関度の低いアンテナ対には最長のシンボル間距離を有するシンボル対を割り当てることを特徴とする。
【００５５】
本発明に係る移動通信システムにおける信号伝送方法は、多重アンテナを利用する移動通信システムにおいて、シンボル間の距離が大きいシンボル対は相関度の高い第１のアンテナ対に割り当て、シンボル間の距離が小さいシンボル対は相関度の低い第２のアンテナ対に割り当てることを特徴とする。
【００５６】
望ましくは、前記シンボル間距離が同一であるシンボル対は第１の及び第２のアンテナ対に均等に割り当てることを特徴とする。
【００５７】
望ましくは、前記同一のシンボルを再伝送する場合、第１のアンテナ対にはシンボル間距離の小さいシンボル対を割り当て、第２のアンテナ対にはシンボル間の距離が大きいシンボル対を割り当てることを特徴とする。
【００５８】
本発明に係る移動通信システムにおける信号伝送方法は、多重アンテナを利用する移動通信システムにおいて、シンボル間の距離が小さいシンボル対は相関度の高い第１のアンテナ対に割り当て、シンボル間の距離が大きいシンボル対は相関度の低い第２のアンテナ対に割り当てることを特徴とする。
【００５９】
本発明に係る移動通信システムにおける信号伝送方法は、多重アンテナを利用する移動通信システムにおいて、送信アンテナ間の相関度及び／またはシンボルの認識効率によりシンボルを配置する段階と、配置されたシンボルを各送信アンテナに割り当てて伝送する段階と、から構成される。
【００６０】
望ましくは、前記相関度の高いアンテナ対には最長のシンボル間距離を有するシンボル対を配置し、相関度の低いアンテナ対には最短のシンボル間距離を有するシンボル対を配置することを特徴とする。
【００６１】
望ましくは、前記同一のシンボル間距離を有するシンボルは相関度の高いアンテナ対及び相関度の低いアンテナ対に均等に配置することを特徴とする。
【００６２】
望ましくは、前記相関度の高いアンテナ対には最短のシンボル間距離を有するシンボル対を配置し、相関度の低いアンテナ対には最長のシンボル間距離を有するシンボル対を配置することを特徴とする。
【００６３】
望ましくは、前記認識効率の高いシンボルは相関度の高いアンテナに割り当て、認識効率の低いシンボルは相関度の低いアンテナに割り当てることを特徴とする。
【００６４】
望ましくは、前記各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てることを特徴とする。
【００６５】
前記本発明に係る移動通信システムにおける信号伝送方法は、再伝送要求を感知する段階と、再伝送要求が感知されると、予め伝送されたシンボルを送信アンテナ間の相関性及び／またはシンボルの認識効率により再配置して送信アンテナに割り当てる段階と、をさらに含む。
【００６６】
望ましくは、前記相関度の高いアンテナ対には最短のシンボル間距離を有するシンボル対を割り当て、相関度の低いアンテナ対には最長のシンボル間距離を有するシンボル対を割り当てることを特徴とする。
【００６７】
望ましくは、前記認識効率の高いシンボルは相関度の高い送信アンテナに割り当て、認識効率の低いシンボルは相関度の低い送信アンテナに割り当てることを特徴とする。
【００６８】
前述したような目的を達成するために本発明に係る移動通信システムにおける信号伝送装置は、多重アンテナを利用する移動通信ステムにおいて、送信アンテナ間の相関度及び／またはシンボルの認識効率によりシンボルを配置する送信信号処理器(Transmitting signal processor)と、前記配置されたシンボルを複数の送信アンテナに割り当てる逆多重化器と、から構成される。
【００６９】
前記信号伝送装置は、伝送された信号を所定の処理方法で処理して送信シンボルを検出する送信シンボル検出器と、検出されたシンボルを多重化する多重化器と、をさらに含む。
【００７０】
望ましくは、前記送信信号処理器は、相関度の高いアンテナ対には最長のシンボル間距離を有するシンボル対を配置し、相関度の低いアンテナ対には最短のシンボル間距離を有するシンボル対を配置することを特徴とする。
【００７１】
望ましくは、前記送信信号処理器は、同一のシンボル間距離を有するシンボルは相関度の高いアンテナ対及び相関度の低いアンテナ対に均等に配置することを特徴とする。
【００７２】
望ましくは、前記送信信号処理器は、相関度の高いアンテナ対には最短のシンボル間距離を有するシンボル対を配置し、相関度の低いアンテナ対には最長のシンボル間距離を有するシンボル対を配置することを特徴とする。
【００７３】
望ましくは、前記送信信号処理器は、認識効率の高いシンボルは相関度の高いアンテナに配置し、認識効率の低いシンボルは相関度の低いアンテナに配置することを特徴とする。
【００７４】
望ましくは、前記送信信号処理器は、各送信アンテナに割り当てられるシンボルの数が異なる場合、認識効率の高いシンボルは相関度の高いアンテナ対に最大限に配置し、認識効率の低いシンボルは相関度の低いアンテナ対に最大限に配置することを特徴とする。
【００７５】
望ましくは、前記送信信号処理器は、同一のシンボルを再伝送する場合、送信アンテナ間の相関性及び／またはシンボルの認識効率によりシンボルを再配置することを特徴とする。
【００７６】
望ましくは、前記送信信号処理器は、相関度の高いアンテナ対には最短のシンボル間距離を有するシンボル対を再配置し、相関度の低いアンテナ対には最長のシンボル間距離を有するシンボル対を再配置することを特徴とする。
【００７７】
望ましくは、前記送信信号処理器は、認識効率の高いシンボルは相関度の高い送信アンテナに再配置し、認識効率の低いシンボルは相関度の低い送信アンテナに再配置することを特徴とする。
【００７８】
望ましくは、前記所定の処理方法は、ゼロ−フォーシング(Zero-Forcing)、ＭＭＳＥ(Minimum Mean Square Error)及びＶ−ＢＬＡＳＴ(Vertical-BellLabs Layered Space Time Architecture)方法のうちいずれか一つであることを特徴とする。
【発明の効果】
【００７９】
本発明は、高次変調(higher order modulation)配置図のシンボルの認識効率及びアンテナの相関度を考慮し、伝送されるシンボルをアンテナに適切に割り当てることにより独立的なシンボル伝送を保障する。その結果、本発明は、アンテナ間の独立性を向上させて受信端におけるシンボル検出の正確性を高めることができ、システムの信号伝送能力を向上させることができるという効果がある。
【００８０】
また、本発明は、ハイブリッドＡＲＱ(Hybrid Automatic Repeat Request)を使用するシステムにおいて、シンボルの認識効率及びアンテナの相関度を考慮してシンボルを再伝送することで、通信品質を向上させることができるという効果がある。
【発明を実施するための最良の形態】
【００８１】
一般的に、複数のアンテナを備えたアンテナアレイ(array)において、隣接するアンテナ間にはある程度の相関(Correlation)がある。例えば、アンテナの個数が４つ以上である場合、アンテナアレイの両端に位置したアンテナは、ある程度の独立性が保障されるが、アンテナアレイの内部に位置したアンテナの間には相当の程度の相関が存在する。
【００８２】
従って、本発明は、このようなアンテナの間の相関程度を考慮して各送信シンボルを各アンテナに割り当てる方案を提案する。また、本発明は、各シンボルの認識効率を考慮して送信シンボルを各アンテナに割り当てる方案を提案する。
【００８３】
しかしながら、ＱＰＳＫ(Quadraphase shift keying)以下のシステムの場合は、シンボルの認識効率が全て同一であるので、本発明のようにシンボルの認識効率を考慮する必要がない。前記シンボルの認識効率を考慮したシンボル割り当て方法は、８ＰＳＫ以上のシステムに適用され、８ＰＳＫ以上のシステムではアンテナの相関度及びシンボル認識効率が両方とも利用されることができるということを明白にしておく。
【００８４】
以下、図面を参照して本発明の好適な実施形態を説明する。
【００８５】
図３は、本発明の実施形態による多重アンテナを利用した移動通信システムにおける信号伝送装置の構成を示す。
【００８６】
図３に示すように、本発明の実施形態による移動通信システムにおける信号伝送装置は、複数の送信アンテナ２４Ａ〜２４Ｄと、送信アンテナ２４Ａ〜２４Ｄの相互相関度及び／またはシンボルの認識効率により送信シンボルを配置する送信信号処理器２０と、前記送信信号処理器２０から出力されたシンボルを各送信アンテナ２４Ａ〜２４Ｄに割り当てる逆多重化器２２と、複数の受信アンテナ２６Ａ〜２６Ｆと、各受信アンテナ２６Ａ〜２６Ｆを通じて受信された信号のエラーをチェックし、再伝送を要求する受信信号処理器(Receiving signal processor)２８と、受信信号処理器２８から出力された信号を所定の信号処理方法によって処理し、送信シンボルを検出する送信シンボル検出器３０と、前記送信シンボル検出器３０において検出されたシンボルを並直列(parallel-to-serial)処理して送信されたシンボル順に配置する多重化器３２と、から構成される。
【００８７】
前記送信信号処理器２０及び受信信号処理器２８は、ハイブリッドＡＲＱ(Hybrid Automatic repeat request)機能を含んでおり、前記所定の信号処理方法は、ゼロ−フォーシング、ＭＭＳＥ、Ｖ−ＢＬＡＳＴのうちいずれか１つを含む。
【００８８】
以下、図４のフローチャートを参照して、このように構成された本発明の実施形態による移動通信システムにおける信号伝送装置の動作を説明する。
【００８９】
送信されるシンボルが入力されると(Ｓ１０１)、送信信号処理器２０は、該当送信シンボルとエラー制御のためのＣＲＣ(Cyclic redundancy check)コード(または、ＦＥＣ(ForwardError Correction)コード)を結合した後、送信アンテナ２４Ａ〜２４Ｄ間の相関度及び／またはシンボルの認識効率によりシンボルを配置する(Ｓ１０３)。
【００９０】
従って、逆多重化器２２は、送信信号処理器２０により配置された送信シンボルを各送信アンテナ２４Ａ〜２４Ｄに割り当て、それにより、各送信アンテナ２４Ａ〜２４Ｄは、ＭＩＭＯチャネルを通じて該当シンボルを受信端に送信する(Ｓ１０５、Ｓ１０７)。
【００９１】
受信端の受信信号処理器２８は、各受信アンテナ２６Ａ〜２６Ｆを通じて受信されたシンボルのエラー発生可否をチェックして受信シンボルの状態を確認する。受信シンボルの状態が良好でない場合は、送信端にシンボルの再伝送を要求する。
【００９２】
受信端からシンボル再伝送が要求されると(Ｓ１０９)、送信端の送信信号処理器２０は、再伝送が要求されたシンボルを送信アンテナ間の相関度及び／またはシンボルの認識効率により再配置した後、逆多重化器２２を通じて各送信アンテナ２４Ａ〜２４Ｄに割り当てることにより、再伝送が行われるようにする(Ｓ１１１、Ｓ１１３)。
【００９３】
反面、受信シンボルの状態が良好である場合、受信信号処理器２８は、送信シンボル検出器３０に受信信号を伝送する。送信シンボル検出器３０は、受信された信号を公知のゼロ−フォーシング(Zero-Forcing)、ＭＭＳＥ(Minimum Mean Square Error)、Ｖ−ＢＬＡＳＴ方法のうちいずれか１つによって処理して送信シンボルを推定／検出し、多重化器３２は、検出された送信シンボルを送信端の送信順に多重化して出力する。
【００９４】
このように、送信端の送信信号処理器２０は、送信シンボルを伝送及び再伝送するとき、送信アンテナ２４Ａ〜２４Ｄの相関度及び／またはシンボルの認識効率を考慮して各シンボルを各アンテナに割り当て、受信端の受信信号処理器２８は、伝送(または、再伝送)されたシンボルを以前に伝送されたシンボルと結合することで、受信効率を向上させ、シンボル検出の正確度を高めることができる。
【００９５】
以下、送信アンテナ間の相関度及び／またはシンボルの認識効率を考慮して送信シンボルを各送信アンテナに配置する方法をより詳細に説明する。
【００９６】
図５は、１６ＱＡＭ(Quadrature Amplitude Modulation)方式の高次変調(higher order modulation)シンボルの配置(constellation)図である。
【００９７】
図５を参照すると、最外側に位置するシンボル、つまり、１、４、１３、１６番のシンボルは、内側に位置するシンボル、例えば、６、７、１０、１１番のシンボルに比べて認識(detection)が容易であるので、前記シンボルは、受信端においてシンボル検出のための安全性がもっと保障できる。
【００９８】
本発明は、このような性質をＭＩＭＯ移動通信システムにおける信号処理に利用する。
【００９９】
本発明の第１の実施形態によるシンボル配置方法は、送信アンテナ間の相関度により伝送シンボルを配置する。
【０１００】
第１のシンボル配置方法は、相互相関度の高いアンテナ対(すぐそばに位置するか、近く位置するアンテナ対)には図５の配置図の原点から最大限に遠く離れたシンボル対を割り当て、相互相関度の低いアンテナ対(相互遠く離れたアンテナ対)には配置図の原点に近いシンボル対を割り当てる方法である。また、重要度の高いシンボルは相関度の低い送信アンテナに配置し、重要度の低いシンボルは相関度の低い送信アンテナに配置することができる。
【０１０１】
つまり、４個のアンテナ２４Ａ〜２４Ｄを含むアンテナアレイの場合、図４の１６ＱＡＭシンボル配置図において、原点から最も遠く離れた１、４、１３、１６番のシンボルは、相関度の高いアンテナ対(２４Ｂ、２４Ｃ)に割り当て、最内側に位置する６、７、１０、１１番のシンボル(最小距離のシンボル)は、相関度の低いアンテナ対(２４Ａ、２４Ｄ)に割り当てる。また、残りのシンボル(２、３、５、８、９、１２、１４、１５番のシンボル)は、原点から同一の距離に位置するので、４つのアンテナ２４Ａ〜２４Ｄにそれぞれ均等に分配する。
【０１０２】
従って、前記第１のシンボル配置方法を使用して送信アンテナ間の相関度により伝送シンボルを配置して伝送する場合、アンテナ間の相関度を考慮しない場合に比べて受信端におけるシンボル認識性能を向上させることができる。
【０１０３】
また、本発明に他の実施形態によるシンボル配置方法として、送信アンテナ間の相関度だけでなくシンボルの認識効率も共に考慮して伝送シンボルを配置することができる。つまり、配置図の原点から近いシンボル対は認識効率が低く、配置図の原点から遠いシンボル対は認識効率が高いため、これを考慮して伝送シンボルを配置することもできる。
【０１０４】
第２のシンボル配置方法は、相互相関度の高いアンテナ対には配置図の原点から最も近いシンボル対(認識効率の低いシンボルの双)を割り当て、相関度の低いアンテナ対には配置図の原点から最も遠いシンボル対(認識効率の高いシンボルの双)を割り当てる方法である。この方法は、認識効率の高いシンボルをより確実に伝送するための方法である。
【０１０５】
例えば、４つの送信アンテナ２４Ａ〜２４Ｄから構成されたアンテナアレイの場合、図５の１６ＱＡＭシンボル配置図において、原点から最も遠いシンボル(１、４、１３、１６番のシンボル)は相関度の低いアンテナ対(２４Ａ、２４Ｄ)に割り当てられ、原点から最も近いシンボル(６、７、１０、１１番のシンボル)は相関度の高いアンテナ対(２４Ｂ、２４Ｃ)に割り当てられる。また、残りのシンボル(２、３、５、８、９、１２、１４、１５番のシンボル)は、原点から同一の距離に位置するので、４つのアンテナ２４Ａ〜２４Ｄにそれぞれ均等に分配される。
【０１０６】
また、各送信アンテナに割り当てられるシンボルの数が異なる場合、認識効率の高いシンボルは相関度の高いアンテナ対に最大限に割り当て、認識効率の低いシンボルは相関度の低いアンテナ対に最大限に割り当てることができる。
【０１０７】
従って、第２のシンボル配置方法を使用する場合は、アンテナ間の相関度を考慮しない場合より受信端におけるシンボル認識性能を向上させることができる。
【０１０８】
さらに、本発明は、受信端における信号受信効率を高めるために送信端において同一の情報を再伝送するハイブリッドＡＲＱシステムを仮定する。送信端は、各アンテナに初めて伝送した各シンボルを受信端が受信すると、該当シンボルを保存していてから、同一のシンボルを再伝送する場合、アンテナ間の相関性を考慮して前記シンボルを再割り当てして伝送する。受信端は、先に受信したシンボルのように前記再伝送されたシンボルを送／受信端で予め約束された順に再配置した後、予め受信したシンボルと再伝送されたシンボルを結合して受信効率を向上させる。例えば、４つの送信アンテナを備えたシステムの場合、最初伝送の時にデータシンボル(Ａ、Ｂ、Ｃ、Ｄ)を１、２、３、４番のアンテナに伝送し、再伝送のときは、同一のシンボルをアンテナ間の相関度及び認識効率を考慮して３、４、１、２番のアンテナを通じて伝送する。この場合、相関度の低いアンテナに再伝送が行われるので、再伝送回数を減少させてシステムの処理能力(throughput)を向上させることができる。
【０１０９】
以上、第１及び第２のシンボル配置方法に対して説明してきたが、アンテナの相関度及び／またはシンボルの認識効率を利用したシンボル配置方法は多様である。
【０１１０】
図６の(Ａ)及び(Ｂ)ないし図８の(Ａ)及び(Ｂ)は、本発明の実施形態によるシンボル割り当て方法の一例を示す。このとき、送信シンボルは、１６ＱＡＭシンボル配置図上のシンボルをであり、送信アンテナは、２４Ａ〜２４Ｄであると仮定する。
【０１１１】
図６の(Ａ)及び(Ｂ)ないし図８の(Ａ)及び(Ｂ)に示すように、第１のシンボル配置方法を適用する場合、黒いシンボルはアンテナ２４Ａ、２４Ｄに割り当てられ、白いシンボルはアンテナ２４Ｂ、２４Ｃに割り当てられる。つまり、最も距離が遠くて高い認識効率を有する１、４、１３、１６番のシンボルは、アンテナ２４Ｂ、２４Ｃに割り当てられ、最も距離が近くて低い認識効率を有する６、７、１０、１１番のシンボルは、アンテナ２４Ａ、２４Ｄに割り当てられる。
【０１１２】
さらに、残りのシンボル(２、３、５、８、９、１２、１４、１５番のシンボル)がアンテナ対２４Ｂ、２４Ｃ及びアンテナ対２４Ａ、２４Ｄにどのように適切に配分されるのかにより、図６の(Ａ)及び(Ｂ)ないし図８の(Ａ)及び(Ｂ)のような多様な割り当て形態が存在する。
【０１１３】
合わせて、第１のシンボル配置方法は、配置図の原点から最も遠い１、４、１３、１６番のシンボルを送信アンテナ２４Ｂ、２４Ｃに割り当てるとき、各送信アンテナに割り当てられるシンボル間距離を最長に配置するために、１、１６番のシンボル対と４、１３番のシンボル対を区分して割り当てる。つまり、１、１６番のシンボル対がアンテナ２４Ｂに割り当てられると、４、１３番のシンボル対はアンテナ２４Ｃに割り当てられることができ、また、その反対に割り当てられることができる。
【０１１４】
同様な原理で、原点から最も近い６、７、１０、１１番のシンボルをアンテナ２４Ａ、２４Ｄに割り当てるとき、６、１１番のシンボル対と７、１０番のシンボル対を区分して割り当てる。つまり、６、１１番のシンボル対をアンテナ２４Ａに割り当てると、７、１０番のシンボル対をアンテナ２４Ｄに割り当てることができ、また、その反対に割り当てることができる。
【０１１５】
また、第２のシンボル割り当て方法の場合、図６の(Ａ)及び(Ｂ)ないし図８の(Ａ)及び(Ｂ)において、黒いシンボルはアンテナ２４Ｂ、２４Ｃに割り当てられ、白いシンボルはアンテナ２４Ａ、２４Ｄに割り当てられる。
【０１１６】
一般的に、複数のアンテナを送信端及び受信端で全て使用すると、データの伝送速度を高めることができるだけでなく、通信品質を向上させることができるということは、よく知らされている。複数のアンテナを送／受信端で全て使用するシステムの一種であるＶ−ＢＬＡＳＴシステムにおいては、送信端の各アンテナから相互独立的な信号が伝送されるようにするが、これは、各送信アンテナから送信された信号が受信端のアンテナアレイに到着するまで相互独立的な通信チャネルを経るという理想的な(ideal)状況を考慮したことである。
【０１１７】
しかしながら、実際状況では、アンテナ間の相関が存在するので、理想的な状況に比べて性能低下が発生し、所望のシステム性能を期待することは難しい。
【図面の簡単な説明】
【０１１８】
【図１】多重アンテナを利用した一般的なＭＩＭＯ移動通信システムの構成の一例を示す図である。
【図２】ＭＩＭＯ移動通信システムにおいて、Ｖ−ＢＬＡＳＴ信号処理方法を利用して送信シンボルを検出する動作を示すフローチャートである。
【図３】本発明の実施形態による多重アンテナを利用した移動通信システムにおける信号伝送装置の構成を示す図である。
【図４】本発明の実施形態による移動通信システムにおける信号伝送方法を示すフローチャートである。
【図５】高次変調(higherorder modulation)配置図の一例である１６ＱＡＭ(Quadrature Amplitude Modulation)配置図を示す図である。
【図６】(Ａ)及び(Ｂ)は、送信アンテナ間の相関性及びシンボルの認識効率により高次変調配置図上にシンボル割り当てる例を示す図である。
【図７】(Ａ)及び(Ｂ)は、送信アンテナ間の相関性及びシンボルの認識効率により高次変調配置図上にシンボル割り当てる例を示す図である。
【図８】(Ａ)及び(Ｂ)は、送信アンテナ間の相関性及びシンボルの認識効率により高次変調配置図上にシンボル割り当てる例を示す図である。
【図１】
2006508555.tif 000005
【図２】
2006508555.tif 000006
【図３】
2006508555.tif 000007
【図４】
2006508555.tif 000008
【図５】
2006508555.tif 000009
【図６Ａ】
2006508555.tif 000010
【図６Ｂ】
2006508555.tif 000011
【図７Ａ】
2006508555.tif 000012
【図７Ｂ】
2006508555.tif 000013
【図８Ａ】
2006508555.tif 000014
【図８Ｂ】
2006508555.tif 000015
【国際調査報告】
2006508555.tif 000016